(57)【要約】【課題】水圧を高効率で尾部の運動に転換可能とし、大きな水攪拌によって集魚効果の向上が期待できる、ルアーを提供する。【解決手段】本発明のルアー１は、胴部２１と尾部２２とを含むルアー本体２と、前記ルアー本体２に装着された釣針３と、を含み、前記胴部２１は、弾性変形可能な軟質材料で成型されたものであり、前記尾部２２は、硬質板にて形成され、前記胴部２１の後端部に接合されたものである。好ましくは、尾部２２の胴部側の主面は胴部２１の長手方向と直交するか、又は前記主面のうちの前記胴部２１との接合部分より下側の部分が後方に傾斜している。尾部２２は、好ましくは透明である。【選択図】図１
2019110786.tif 000002
【特許請求の範囲】
【請求項１】
胴部と尾部とを含むルアー本体と、
前記ルアー本体に装着された釣針と、を含み、
前記胴部は、弾性変形可能な軟質材料で成型されたものであり、
前記尾部は、硬質板にて形成され、前記胴部の後端部に接合されたものである、ルアー。
【請求項２】
前記尾部の前記胴部側の主面は前記胴部の長手方向と直交するか、又は前記主面のうちの前記胴部との接合部分より下側の部分が後方に傾斜している、請求項１に記載のルアー。
【請求項３】
前記尾部は、透明である、請求項１又は２に記載のルアー。
【請求項４】
前記硬質板の厚みは、０．０５ｍｍ以上１．５ｍｍ以下である、請求項１から３のいずれかの項に記載のルアー。
【請求項５】
前記硬質板は、樹脂製である、請求項１から４のいずれかの項に記載のルアー。
【請求項６】
前記ルアーは、魚型である、請求項１から５のいずれかの項に記載のルアー。
【請求項７】
請求項１から６のいずれかの項に記載のルアーを構成するルアー本体であって、
胴部と尾部とを含み、
前記胴部は、弾性変形可能な軟質材料で成型されたものであり、
前記尾部は、硬質板にて形成され、前記胴部の後端部に接合されたものである、ルアー本体。
【発明の詳細な説明】
【技術分野】
【０００１】
本発明は、魚類の釣り用のルアーに関する。
【背景技術】
【０００２】
従来、魚類の釣りに用いるルアーとして、ルアー本体が、軟質合成樹脂、ゴム等の軟質材料で成型された、ソフトルアー（ワーム、ソフトベイト）と呼ばれるルアーがある。ルアー本体は、外観が、例えば、小魚、ザリガニ、甲殻類、オタマジャクシ、カエル等の魚の餌に似た形状をしている。
【０００３】
例えば、下記特許文献１の図１〜６には、小魚を模したシャッドテール系と呼ばれる種類のルアーが記載されている。下記特許文献２の図１〜４には、尾部（テイル）を有し、軟質の高分子材料等により構成された魚釣り用ソフトルアーが記載されている。
【０００４】
以下、図面を参照しながら、従来例についてより具体的に説明する。図６は、シャッドテール系と呼ばれる種類のルアーの一例を示す斜視図である。当該ルアーでは、軟質材料により胴体部１０１と後端部（尾部）１０２が一体成形されている。後端部１０２は、魚の尾びれを模した形状を有しており、傾斜面１０２ｂは、後方に向かうにしたがって下がるように設けられている。胴体部１０１と後端部１０２との連結部分において、細く絞られたような形状になっているので、後端部１０２は、連結部分を支点として、前後方向に直交する全方向に自由に動くことができる。
【０００５】
図７は、魚釣り用ソフトルアーの一例を示す側面図である。当該魚釣り用ソフトルアーのルアー本体では、胴部１００と尾部２００とこれらを一体化する連結部３００とが、軟質の高分子材料などの弾性体で一体成形されている。胴部１００、尾部２００及び連結部３００の横断面形状は、ほぼ円形であると共に同軸上に配置されている。連結部３００は、胴部１００及び尾部２００よりも細い。尾部２００は、ルアーの進行に伴って水の抵抗を大きく受ける面を有する形状、例えば、ルアー進行方向と直交する円板形状を成している。そのため、水中では、尾部２００が連結部３００の撓りによって胴部１００を中心とする円運動を起こすので、ルアーを目新しいアクションで泳がせることができ、集魚効果を高めることができる。
【０００６】
これらのシャッドテールを有するソフトルアーは、例えば、リールを巻くことでルアーを泳がせるという「リトリーブ」をすることにより、尾部に水流があたって水圧がかかると、胴部の中心軸を中心として尾部が左右に振れる揺動運動等の運動をするため、このテールアクションに同調して、胴部全体が前記中心軸を中心として左右にローリングする。
【先行技術文献】
【特許文献】
【０００７】
【特許文献１】特開２０１３−２２３４３２号公報
【特許文献２】特開平１０−１３６８３５号公報
【発明の開示】
【発明が解決しようとする課題】
【０００８】
しかし、上記従来のルアーでは、尾部も含めてルアー本体全体が射出（インジェクション）成形法で成形されるため、尾部の厚みはある程度厚くならざるを得ず、尾部は比較的重くなる。また、尾部は、軟質材料で形成されているため可撓性を有し、水圧により尾部自体が後方に向かって屈曲し、尾部の可撓性が水圧を緩衝してしまう。そのため、尾部の振りが弱くなり、ルアー全体のアクションも小さくなる。特に、例えば、低速のリトリーブによりルアーの進行速度が遅く、尾部が受ける水圧が小さい場合は、この問題は顕著となる。
【０００９】
本発明は、前記のような従来の問題を解決するものであり、水圧を高効率で尾部の運動に転換可能とし、大きな水攪拌によって集魚効果の向上が期待できる、ルアーを提供する。
【課題を解決するための手段】
【００１０】
本発明の一態様は、胴部と尾部とを含むルアー本体と、前記ルアー本体に装着された釣針と、を含み、前記胴部は、弾性変形可能な軟質材料で成形されたものであり、前記尾部は、硬質板にて形成され、前記胴部の後端部に接合された、ルアーに関する。
【００１１】
本発明の他の態様は、本発明のルアーを構成するルアー本体であって、胴部と尾部とを含み、前記胴部は、弾性変形可能な軟質材料で成形されたものであり、前記尾部は、硬質板にて形成され、前記胴部の後端部に接合された、ルアー本体に関する。
【発明の効果】
【００１２】
本発明によれば、水圧を高効率で尾部の運動に転換可能とし、大きな水攪拌によって集魚効果の向上が期待できる、ルアー及びルアー本体を提供できる。
【図面の簡単な説明】
【００１３】
【図１】図１は、本発明の一実施形態に係るルアーの側面図。
【図２】図２Ａは、図１に示したルアーを構成するルアー本体の側面図、図２Ｂは図２Ａの部分拡大図。
【図３】図３は、図２に示したルアー本体の平面図。
【図４】図４Ａは、図２に示したルアー本体の断面図、図４Ｂは図４Ａの部分拡大図。
【図５】図５は、図２に示したルアー本体の拡大背面図。
【図６】従来のソフトルアーの一例を示す斜視図。
【図７】従来のソフトルアーの一例を示す側面図。
【発明を実施するための最良の形態】
【００１４】
本発明のルアーにおいて、尾部は、軟質材料にて形成された胴部の後端部に接合された硬質板であることから、胴部よりも硬く、水圧を受けてもそれ自体は変形しない。そのため、例えば、尾部が、軟質材料にて同じ厚みで形成されている場合よりも、尾部が水圧を受けた際に、水圧を高効率で尾部の運動に転換可能とし、換言すると、テールアクションのレスポンス性が良く、その結果、水圧を受けた尾部が左右に振れる揺動運動等の動きが速く、大きな水攪拌を起こすことができ、集魚効果の向上が期待できる。また、本発明によれば、低速のリトリーブによりルアーの進行速度が遅く（水圧が弱く）ても、尾部は敏感に反応できる、という優れた効果が奏される。
【００１５】
本願において「硬質」とは、弾性変形を可能とする「軟質」に対するものであり、弾性変形はせず、折り曲げると折れて、塑性変形してしまうことを意味する。
【００１６】
本発明のルアーの好ましい一態様において、前記尾部の前記胴部側の主面が前記胴部の長手方向と直交するか、又は前記主面のうちの前記胴部との接合部分より下側の部分が後方に傾斜している。この構成であれば、尾部の揺動運動等の運動がおこりやすく、このテールアクションに同調した胴部全体のローリングも起こりやすいので、好ましい。
【００１７】
尾部は、硬質材料で形成されるため、軟質材料で形成するよりも薄く成形することが可能である。硬質板が、例えば硬質樹脂製であり、そのエッジの厚みが例えば０．０５ｍｍ以上１．５ｍｍ以下であると薄く且つ軽量であるので、尾部の揺動運動における水斬りが顕著に良好となり、テールアクションのレスポンス性が各段に向上するので、好ましい。
【００１８】
前記本発明のルアーの好ましい一態様において尾部は透明である。この場合、当該ルアーにおいては、尾部が水中で見えづらく、ルアーのシルエットを小さく見せることができる。大きく動く尾部は、大きな水攪拌を起こすことができ、一般的には集魚効果を高めるものの一部の魚には警戒心を抱かせる。尾部が透明であると、警戒心の強い魚に対して警戒されにいため、好ましい。
【００１９】
前記本発明のルアーの好ましい一態様において、ルアー本体は、好ましくは、例えば、略魚型である。この場合、胴部のうちの尾部に隣接する部分を尾部隣接部分と称することとすると、ルアーを平面視して、尾部隣接部分の幅は、胴部のうちの尾部隣接部分よりもより前方側に位置する部分のそれよりも小さい。この構成より、テールアクション自体がより起こりやすく、且つテールアクションに同調して、尾部隣接部分が捻じれやすく、胴部全体のローリングも起こりやすいので、好ましい。
【００２０】
以下、本発明の一実施の形態について、図面を参照しながら説明する。図１は、本発明の一実施の形態に係るルアーの側面図を示している。図２Ａは、図１に示したルアー本体２の側面図であり、図２Ｂは、その部分拡大図である。図３は、ルアー本体２の平面図である。図４Ａは、図２の断面図であり、図４Ｂはその部分拡大図である。図５は、ルアー本体２の拡大背面図である。尚、説明の便宜のため、ルアー１の長手方向両端のうちの、釣糸係止部３ａに近い側の端を「先端」とし、その反対側の端を「後端」と呼び、ある位置から、「先端」に向かう方向を「前方」、「後端」に向かう方向を「後方」と呼ぶ。また、「上側」とは、ある位置を基準に、水中で上に位置する側を意味し、「下側」とは、当該ある位置を基準に、水中で下に位置する側を意味する。また、図３に示したルアー本体２の長手方向と直交する方向を「左右方向」と呼ぶ。
【００２１】
図１に示したルアー１は、ルアー本体２と釣針３とを含む。釣針３は、例えば、オフセットタイプの釣針３であり、ルアー本体２内に、ルアー本体２の先端部２１１から差し込まれて装着されている。ルアー本体２の長手方向の長さについて特に制限はなく、従来公知のソフトルアーのそれと同様でよいが、例えば、７０ｍｍ以上１５０ｍｍ以下である。
【００２２】
釣針３は、ラインアイと呼ばれる釣糸接続部３ａと針部３ｂとを備えており、略Ｊの字状である。釣糸接続部３ａには、図示されていないが、釣糸が結びつけられる。針部３ｂは、例えば、図１に示されるように、その先端が、ルアー本体２の外側に突き出ていてもよく、例えば、胴部２１の上面側に突き抜け当該上面に接して配置されていてもよいし、ルアー１を側面視した場合に見えないように、ルアー本体２内に配置されていてもよい。
【００２３】
ルアー本体２は、胴部２１と尾部２２とを含む。胴部２１全体は、軟質ゴム又は軟質樹脂等の軟質材料で、例えば、射出成形法にて形成されており、弾性変形可能である。軟質ゴム又は軟質樹脂等の軟質材料については、従来公知のソフトルアーの成形に使用されているものでよく、例えば、塩化ビニル樹脂等が挙げられる。
【００２４】
図４に示されるように、胴部２１の先端部２１１の内部には、釣針３の挿入方向をガイドするガイド溝２１２が形成されている。胴部２１のうちの先端部２１１よりも後方側の部分の表面は、複数の凹部が形成されていることによって、複数のひだ２１７を有する。図３からよく分かるように、ルアー本体２は、ルアー本体２の胴部２１の中心軸５に対して左右対称な形状をしており、ルアー本体２の右側部分及び左側部分の各々において、ひだ２１７は、例えば、中心軸５から離れるにつれて後方に傾斜している。
【００２５】
胴部２１のうちの尾部２２に隣接する部分を尾部隣接部分２１３と称することとする。図３に示されるように、ルアー本体２を平面視して、尾部隣接部分２１３の幅は、胴部２１のうちの尾部隣接部分２１３よりもより前方側に位置する部分（前方側部分）２１４よりも幅が小さい。そのため、テールアクション自体が起こりやすく、且つテールアクションに同調して尾部隣接部分が捻じれやすく、胴部全体のローリングも起こりやすいので、好ましい。例えば、ルアー本体２の長手方向の長さのうちの、先端から例えば約４分の３を超えたあたりから前記幅が顕著に細くなっている。
【００２６】
図３に示されるように、ルアー本体２を平面視して見える尾部隣接部分２１３の最小幅Ｗ２は、テールアクションの速度向上の観点から、胴部２１の最大幅Ｗ１の、好ましくは４０％以下、より好ましくは３０％以下であり、強度確保の観点から、胴部２１の最大幅Ｗ１の、好ましくは１０％以上、より好ましくは１５％以上、さらに好ましくは２５％以上である。
【００２７】
図２に示されるように、ルアー本体２を側面視して、尾部隣接部分２１３の幅は、胴部２１のうちの尾部隣接部分２１３に隣接する前方側部分２１４の幅よりも小さい。ルアー本体２を側面視して見える尾部隣接部分２１３の最小幅Ｗ４は、テールアクションの速度向上の観点から、胴部２１の最大幅Ｗ３の、好ましくは４０％以下、より好ましくは３０％以下であり、強度確保の観点から、胴部２１の最大幅Ｗ３の、好ましくは１５％以上、より好ましくは２５％以上である。
【００２８】
胴部２１は、その後端部２１５に尾部２２が接合されている。接合方法について、特に制限はない。例えば、胴部２１の後方側の端面２１６と尾部２２の先端側の主面２２ｃとを接着剤を用いて接着する方法でもよいが、例えば、図４Ｂからよくわかるように、尾部２２に、その厚み方向に貫通する貫通穴２２ａが形成されており、当該貫通穴２２ａ内に胴部２１の後端部２１５を圧入した状態で、尾部２２の貫通穴２２ａを形成する面２２ｂと胴部２１の後端部２１５のそれに向かい合う面とを溶剤接着する方法が挙げられる。後端部２１５の一部が貫通穴２２ａを貫通して尾部２２の主面２２ｄから突出していてもよい。例えば、胴部２１がポリ塩化ビニル製であり、尾部２２がポリカーボネート製である場合、溶剤としては、アクリル変性シリコーンポリマーや、塩ビ系溶剤等が好ましく使用できる。
【００２９】
後端部２１５の尾部２２との接合箇所は、水の抵抗を受ける面の面積を確保する観点から、尾部２２の中央より上側部分であると好ましい。
【００３０】
図５に示されるように、胴部２１の後方側の端面２１６の形状について特に制限はないが、尾部２２との接合強度の確保とテールアクションの速度向上との両立の観点から、尾部２２に接合された状態で、左右方向の幅よりも上下方向の幅の方が、好ましくは１．５倍以上、より好ましくは２倍以上長いと好ましい。即ち、胴部２１の後端部２１５について、側面視した幅よりも平面視した幅の方が小さいと好ましい。
【００３１】
尾部２２は、硬質板にて形成されている。硬質板は、好ましくは、一対の主面２２ｃ、２２ｄを有し、主面２２ｃ、２２ｄは、各々、単一の平面を有し厚みが一定のシート状のものである。硬質板の材料は、例えば、ＡＢＣ樹脂、ポリカーボネート（ＰＣ）、ポリスチレン、ポリエチレンテレフタレート（ＰＥＴ）、ポリ塩化ビニル等が挙げられる。
【００３２】
硬質板の厚みは、胴部２１の形状や重さ等に応じて適宜設定されるものであるが、０．０５ｍｍ以上１．５ｍｍ以下が好ましい。揺動運動等の動きを早くする観点からは、好ましくは１．０ｍｍ以下、より好ましくは０．５ｍｍ以下、更に好ましくは０．３ｍｍ以下、更に好ましくは０．２ｍｍ以下であり、硬質板の強度確保の観点から、好ましくは０．０５ｍｍ以上、より好ましくは０．０８ｍｍ以上である。また、尾部２２による水の攪拌力を向上させる観点から、硬質板の厚みは、好ましくは１．０ｍｍ以上１．５ｍｍ以下である。
【００３３】
尾部２２は、好ましくは透明である。尾部２２が透明であれば、尾部２２が水中で見えづらく、ルアー１のシルエットを小さく見せることができる。尾部２２の厚みが薄ければ、尾部２２は更に見えづらくなる。大きく動く尾部２２は、大きな水攪拌を起こすことができ、一般的には集魚効果を高めるものの一部の魚には警戒心を抱かせる。尾部２２が透明であると、警戒心の強い魚に対して警戒されにくく、好ましい。
【００３４】
尾部２２の形状及び大きさは、従来公知のシャッドテールと同様でよく、形状は、水の抵抗を受ける面の面積を確保する観点から、好ましくは、例えば、上側よりも下側の方が、左右方向の幅が広くなった円板状等が挙げられる。
【００３５】
図２Ｂに示されるように、尾部２２の胴部側の主面２２ｃのうちの、胴部２１との接合部分よりも下側部分２２１が、胴部２１の長手方向と直交する仮想平面６に対して角度θで傾斜していると好ましいが、当該仮想平面６と平行、即ち、尾部２２は、その主面２２ｃが胴部２１の長手方向と直交するように尾部２２に接合されていてもよい。前記角度θは、テールアクションのレスポンス性向上の観点から、好ましくは−５°以上３０°以下であるが、胴部２全体のローリング性の向上の観点から、より好ましくは５°以上２０°以下である。
【００３６】
尚、図１〜図５を用いて説明した本発明のルアーの一例及びルアー本体の一例では、胴部２１の表面には、複数のひだが形成されているが、これらは無くてもよい。針３の形状及び装着態様も、図１に示した態様に限定されず、従来から公知の形状及び装着態様を適用できる。釣針３の挿入方向をガイドするガイド溝の形状についても、図４に示した態様に限定されず、従来から公知の態様を適用できる。胴部２１の形状も、本発明の効果が奏されるかぎり、従来公知の魚型のソフトルアーのそれと同じであってもよい。尾部２２は、透明であることに限定されず、半透明又は不透明であってもよい。ルアー本体の形状は、魚を模した形状に限定されない。
【産業上の利用可能性】
【００３７】
以上のように、本発明によれば、水圧を高効率で尾部の運動に転換可能とし、大きな水攪拌によって集魚効果の向上が期待できるので、魚類釣り用のルアーとして有用である。
【符号の説明】
【００３８】
１                ルアー
２                ルアー本体
２１              胴部
２１１            先端部
２１２            ガイド溝
２１３            尾部隣接部分
２１４            胴部の前方側部分
２１５            胴部の後端部
２１６            胴部の後方側の端面
２１７            ひだ
２２              尾部
２２ａ            貫通穴
２２ｂ            貫通穴を形成する面
２２ｃ，２２ｄ    尾部の主面
２２１            主面２２ｃのうちの胴部２１との接合部分よりも下側の部分
３                釣針
３ａ              釣糸接続部
３ｂ              針部
【図１】
2019110786.tif 000003
【図２】
2019110786.tif 000004
【図３】
2019110786.tif 000005
【図４】
2019110786.tif 000006
【図５】
2019110786.tif 000007
【図６】
2019110786.tif 000008
【図７】
2019110786.tif 000009